(57)【要約】【課題】ゲームプレイヤーの身長等に合わせてアクセルやブレーキのペダルの位置調整が可能なゲーム機用ペダル装置を提供する。【解決手段】ゲーム機の運転座席に座ったプレイヤーが足先を出し入れ可能なよう前面が開放され、内部に運転操作用の少なくとも１種類の足踏みペダル（２０１，２０３）が奥側へ向けて踏込み操作可能なよう取り付けられたペダルユニットボックス（２）と、当該ペダルユニットボックス（２）を、上記足踏みペダル（２０１，２０３）のペダル面と略直交する方向に移動可能、且つ、所望位置で停止可能なようゲーム機のキャビネットに対して保持するボックス移動装置（３）と、から構成されたことを特徴とする。プレイヤーが自己の身長値を入力する入力装置（４２）を設け、その入力値に基づき、ペダルユニットボックス（２）を最適位置に移動させることも推奨される。【選択図】図１
2011177358.tif 000002
【特許請求の範囲】
【請求項１】
ゲーム機の運転座席に座ったプレイヤーが足先を出し入れ可能なよう前面が開放され、内部に運転操作用の少なくとも１種類の足踏みペダル（２０１，２０３）が奥側へ向けて踏込み操作可能なよう取り付けられたペダルユニットボックス（２）と、
当該ペダルユニットボックス（２）を、上記足踏みペダル（２０１，２０３）のペダル面と略直交する方向に移動可能、且つ、所望位置で停止可能なようゲーム機のキャビネットに対して保持するボックス移動装置（３）と、
から構成されたことを特徴とする位置調整可能なゲーム機用ペダル装置（１）。
【請求項２】
上記足踏みペダルが、アクセルペダル（２０１）及び／又はブレーキペダル（２０３）である請求項１に記載の位置調整可能なゲーム機用ペダル装置（１）。
【請求項３】
上記ボックス移動装置（３）が、
ゲーム機のキャビネットに固定される基板（３０１）と、
当該基板（３０１）上に軸中心に回転自在なよう枢支された送りネジ（３０２）と、
上記基板に取り付けられ、上記送りネジ（３０２）を正逆回転せしめるモーター（３０４）と、
前記ペダルユニットボックス（２）に固定されるブロック部材（３０３ａ）と、当該ブロック部材に固着され且つ上記送りネジ（３０２）に螺合された雌ネジ部（３０３ｂ）とを有し、送りネジの回転により送りネジの軸方向に移動せしめられる雌ネジユニット（３０３）と、
上記基板（３０１）上に上記送りネジ（３０２）と平行に取り付けられたガイドレール（３０５）と、
当該ガイドレール（３０５）上に摺動自在に取り付けられ且つ前記ペダルユニットボックス（２）に固定されるスライドシュー（３０６）と、
から構成され、
当該ボックス移動装置（３）が、その送りネジ（３０２）の向きが、前記足踏みペダル（２０１，２０３）のペダル面の延長面と略直交するように、上記雌ネジユニット（３０３）及びスライドシュー（３０６）を介して前記ペダルユニットボックス（２）の左右の少なくとも一方の側面に取り付けられたこと、
を特徴とする請求項１に記載の位置調整可能なゲーム機用ペダル装置（１）。
【請求項４】
上記送りネジ（３０２）と雌ネジユニット（３０３）とが、ボールネジである請求項３に記載の位置調整可能なゲーム機用ペダル装置（１）。
【請求項５】
プレイヤーが自己の身長値を入力する入力装置（４２）と、
当該身長値入力装置（４２）からもたらされた身長値に基づき、前記ペダルユニットボックス（２）の最適位置を求める演算装置（５）と、
当該演算装置（５）により求められた最適位置データに基づき前記モーターを必要量駆動して、前記ペダルユニットボックス（２）を当該最適位置に移動させ、停止させるモーター駆動制御装置（６）と、
を更に設けたことを特徴とする請求項１ないし４のいずれか一に記載の位置調整可能なゲーム機用ペダル装置（１）。
【発明の詳細な説明】
【技術分野】
【０００１】
本発明は、ゲームプレイヤーの身長等に合わせてアクセルやブレーキのペダルの位置調整が可能なゲーム機用ペダル装置に関する。
【背景技術】
【０００２】
ドライブゲーム機やレーシングゲーム機は、ゲームセンターや遊技場に設置され、従来から広く楽しまれている。
そのようなゲーム機において、ゲーム機の運転席に着席したプレイヤーがアクセルペダルやブレーキペダルを踏む際、それらのペダル位置が一定に固定されていると、大人や子供その他プレイヤーの身長等の体型の相違に対応できず、また、ゲーム成績を競う関係上、体型に適合していないプレイヤーは不公平感を抱くことが多かった。
特に、今日では、プレイヤーの技量が向上し、それに合わせてゲーム内容も高度化しているため、僅かな操作ミスがゲーム成績に大きく影響するようになっており、プレイヤーの体型の相違に影響されることなく、純粋にプレイヤーの技量のみがゲーム成績に反映されるゲーム機が提供されることが望まれている。
そのため、上記ペダル位置もプレイヤーの体型に応じて調整可能なように構成されたドライブゲーム機等の提供が望まれている。
なお、例えば下記特許文献１には、実際の自動車用のペダルユニットで、ペダルの位置を調節可能にしたものが開示されているが、ペダルの位置変化に応じて踏込み方が変わってしまったり、ペダルユニットのみが動いてしまうため、ペダル踏込み時のペダルの剛性感が低くなったりするという問題があった。
【先行技術文献】
【特許文献】
【０００３】
【特許文献１】特表２００６−５０２０４２号公報
【発明の概要】
【発明が解決しようとする課題】
【０００４】
本発明は、上記の観点に立ってなされたものであり、その目的とするところは、プレイヤーの体型に応じてペダル位置が調整可能なドライブゲーム機等のためのペダル装置を提供することにある。
【課題を解決するための手段】
【０００５】
上記の目的は、
ゲーム機の運転座席に座ったプレイヤーが足先を出し入れ可能なよう前面が開放され、内部に運転操作用の少なくとも１種類の足踏みペダルが奥側へ向けて踏込み操作可能なよう取り付けられたペダルユニットボックスと、
当該ペダルユニットボックスを、上記足踏みペダルのペダル面と略直交する方向に移動可能、且つ、所望位置で停止可能なようゲーム機のキャビネットに対して保持するボックス移動装置と、
から構成されたことを特徴とする位置調整可能なゲーム機用ペダル装置によって達成できる。
【０００６】
上記足踏みペダルは、一般的にはアクセルペダル及び／又はブレーキペダルであるが、ゲーム機の種類によっては、これら以外のものであってもよい。
【０００７】
上記ボックス移動装置は、
ゲーム機のキャビネットに固定される基板と、
当該基板上に軸中心に回転自在なよう枢支された送りネジと、
上記基板に取り付けられ、上記送りネジを正逆回転せしめるモーターと、
前記ペダルユニットボックスに固定されるブロック部材と、当該ブロック部材に固着され且つ上記送りネジに螺合された雌ネジ部とを有し、送りネジの回転により送りネジの軸方向に移動せしめられる雌ネジユニットと、
上記基板上に上記送りネジと平行に取り付けられたガイドレールと、
当該ガイドレール上に摺動自在に取り付けられ且つ前記ペダルユニットボックスに固定されるスライドシューと、から構成され、
当該ボックス移動装置が、その送りネジの向きが、前記足踏みペダルのペダル面の延長面と略直交するように、上記雌ネジユニット及びスライドシューを介して前記ペダルユニットボックスの左右の少なくとも一方の側面に取り付けられること、が推奨される。
上記送りネジと雌ネジユニットとしては、ボールネジを用いることが推奨される。
【０００８】
プレイヤーが自己の身長値を入力する入力装置と、
当該入力装置からもたらされた身長値に基づき、前記ペダルユニットボックスの最適位置を求める演算装置と、
当該演算装置により求められた最適位置データに基づき前記モーターを必要量駆動して、前記ペダルユニットボックスを当該最適位置に移動させ、停止させるモーター駆動制御装置と、
を更に設けることも推奨される。
【発明の効果】
【０００９】
本発明は、上記の如き構成を有することにより、足踏みペダルの位置を、ペダルユニットボックスごとペダル面と略直交する方向に移動させることができ、且つ、所望位置で停止させることができるので、大人や子供その他プレイヤーの体型に合わせてペダル位置を調整でき、これによって、ペダルが踏みにくい等の理由によりゲーム成績が悪くなるような不公平性が解消され、納得のゆくゲームプレイが可能なゲーム機用ペダル装置を提供し得るものである。
【図面の簡単な説明】
【００１０】
【図１】本発明に係るゲーム機用ペダル装置の一実施例を前面側から見た斜視図である。
【図２】図１に示したゲーム機用ペダル装置の右側面図である。
【図３】図１に示したゲーム機用ペダル装置の上面図である。
【図４】図１に示したゲーム機用ペダル装置に取り付けられているボックス移動装置の斜視図である。
【図５】図４に示したボックス移動装置の上面図である。
【図６】本発明に係るゲーム機用ペダル装置の一実施例の回路構成を示すブロック図である。
【図７】本発明に係るゲーム機用ペダル装置によるペダル位置の調整の流れを示すフローチャートである。
【図８】本発明に係るゲーム機用ペダル装置が取り付けられるドライブゲーム機の一例を示す斜視図である。
【発明を実施するための形態】
【００１１】
以下、図面を参照しつつ、本発明に係るゲーム機用ペダル装置の構成について具体的に説明する。
図１〜図６中、１は本発明に係るゲーム機用ペダル装置、２はペダルユニットボックス、２０１はアクセルペダル、２０２はアクセル動作検知ユニット、２０３はブレーキペダル、２０４はブレーキ動作検知ユニット、２０５ａ〜２０５ｅはペダルユニットボックスの壁面部材、３はボックス移動装置、３０１は基板、３０２は送りネジ、３０３は雌ネジユニット、３０４はモーター、３０５はガイドレール、３０６はスライドシュー、３０７はリミットセンサー、４は操作パネル、４１は直接入力装置、４１ａは奥方向移動ボタン、４１ｂは手前方向移動ボタン、４２は身長値入力装置、４２ａ〜４２ｃは数値表示器、４２０ａ〜４２０ｃは数値調節ボタン、４２ｄは確定ボタン、５は演算装置、６はモーター駆動制御装置である。
本発明に係るゲーム機用ペダル装置１は、例えば図８に示すようなドライブゲーム機Ａの運転席の前方右下部（矢印Ｂで示した位置）に設置される。Ｃはドライブゲーム機Ａのキャビネット（機台）であり、Ｄはゲームプレイヤーが着席する運転座席である。
【００１２】
本発明に係るゲーム機用ペダル装置１は、図１〜図３に示す如く、ペダルユニットボックス２と、その両側面にそれぞれ取り付けられたボックス移動装置３，３とから構成されている。
ペダルユニットボックス２は、図１に示す如く、その前面が開放され、前記運転座席Ｄに座ったプレイヤーが前面開口から足先を出し入れ可能なようになっている。
ペダルユニットボックス２の内部には、運転操作用の少なくとも１種類の足踏みペダル２０１，２０３が奥側へ向けて踏込み操作可能なよう取り付けられている。
図示した実施例は、自動車のドライブゲーム機であるので、足踏みペダル２０１，２０３のうち、２０１はアクセルペダル、２０３はブレーキペダルとして説明するが、これらのペダルの種類や数は、モーターボートレーシングゲーム機、宇宙船操縦ゲーム機、等々、ゲーム機の種類に応じて適宜変化するものである。
ペダルユニットボックス２は、底面２０５ａ、奥面（背面）２０５ｂ、上面２０５ｃ、側面２０５ｄ、２０５ｅを有し、奥面２０５ｂには、アクセルペダル２０１、ブレーキペダル２０３をそれぞれ手前側へ押し出すスプリングが設けられると共に、上面２０５ｃには、アクセルペダル２０１、ブレーキペダル２０３を回動可能に軸支する軸芯と、これらのペダルの回動量を検知するセンサー等が収容されたアクセル動作検知ユニット２０２及びブレーキ動作検知ユニット２０４が取り付けられている。
【００１３】
ペダルユニットボックス２の側面２０５ｄ、２０５ｅには、ボックス移動装置３がそれぞれ取り付けられ、ペダルユニットボックス２を、アクセルペダル２０１及びブレーキペダル２０３のペダル面と略直交する方向（図１及び図２中、矢印Ｍで示す方向）に移動させ、所望の位置で停止させることができるようになっている。
ペダルユニットボックス２の位置を、プレイヤーの身長等に合わせて移動可能なようにする場合において、ペダル面と略直交する方向に移動させるようにしたのは、ペダルユニットボックス２の移動に伴って、プレイヤーの足に対するペダル面の角度が変化しないようにするためであり、そうすることにより、ペダルの踏込み操作に支障を来さないようにするためである。
そのため、運転席が水平に設定されている場合には、ペダルユニットボックス２が手前側にあるときは高い位置になり、奥側にあるときは低い位置になって、高低差のある両位置間をペダルユニットボックス２は斜め方向に移動することになる。
ボックス移動装置３の基板３０１は、ゲーム機のキャビネット（機台）Ｃ側に固定され、当該基板３０１上に組み付けられた駆動機構によって、ペダルユニットボックス２が上記の如く移動せしめられるようになっている。
【００１４】
以下、ボックス移動装置３の駆動機構について、図４及び図５を参照しつつ説明する。
ボックス移動装置３の基板３０１は、上記の如く、ゲーム機のキャビネットＣに固定される。
基板３０１上には、軸受３０２ａ及び３０２ｂが取り付けられ、これらの軸受によって送りネジ３０２がその軸中心に回転可能なよう保持されるようになっている。
モーター３０４は基板３０１に固定され、その回転軸が送りネジ３０２に連結されて、送りネジ３０２を正逆回転させ得るようになっている。
雌ネジユニット３０３は、ブロック部材３０３ａと、これに固着された雌ネジ部３０３ｂとから成り、雌ネジ部３０３ｂは送りネジ３０２に螺着され、送りネジ３０２を正逆回転させると送りネジに沿って往復移動するようになっている。
上記送りネジ３０２と雌ネジユニット３０３とについては、一般に提供されているボールネジのユニットを好適に用いることも可能である。
基板３０１上には、送りネジ３０２と平行に２本のガイドレール３０５，３０５が取り付けられると共に、ガイドレール３０５上にはそれぞれ２個のスライドシュー３０６がガイドレールに沿って摺動自在に装着されている。
雌ネジユニット３０３のブロック部材３０３ａの上面の高さと、４個のスライドシュー３０６の上面の高さは等しく設定され、これらの上面はペダルユニットボックス２の側面に当接した状態でペダルユニットボックス２の側面に固定される。
これによって、モーター３０４が回転し、雌ネジユニット３０３が送りネジ３０２に沿って移動すると、ペダルユニットボックス２が送りネジ３０２の軸方向と同一方向に移動せしめられるものである。
なお、基板３０１上には、フォトカプラ等から成るリミットセンサー３０７が取り付けてあり、雌ネジユニット３０３が予め定めた許容終端位置に到達しリミットセンサー３０７によって検知されたときは、リミットセンサー３０７の出力信号に基づき、後述するモーター駆動制御装置がモーター３０４を停止せしめて、ペダルユニットボックス２が許容位置より先へ移動しないようになっている。
【００１５】
上記の如く構成されたボックス移動装置３は、これをペダルユニットボックス２の側面に取り付ける際、その送りネジ３０２の向きが、足踏みペダル２０１，２０３のペダル面の延長面と略直交するように取り付けることにより、ペダルユニットボックス２がペダル面と略直交する方向へ往復移動せしめられるものである。
モーター３０４を停止させると、雌ネジユニット３０３も送りネジ３０２上での移動を停止し、送りネジ３０２上の一定位置に保持され、これにより、ペダルユニットボックス２も一定位置に保持される。
【００１６】
次に、図６及び図７を参照しつつ、プレイヤーがペダルユニットボックス２を移動させたい場合の操作と、これに対する本発明のペダル装置の作動について説明する。
図６には、本発明のペダル装置の一実施例の回路構成が示されており、同図中の操作パネル４は、ゲーム機の運転席の計器盤の横などの適宜の箇所に設けられている。
操作パネル４には、２種類の入力装置４１及び４２が設けられている。
４１は、奥方向移動ボタン４１ａと手前方向移動ボタン４１ｂとを具えた直接入力装置であり、４２は、数値表示器４２ａ〜４２ｃと、数値調節ボタン４２０ａ〜４２０ｃと、確定ボタン４２ｄとを具えた身長値入力装置である。
【００１７】
直接入力装置４１の奥方向移動ボタン４１ａを押すと、その出力信号に基づき、モーター駆動制御装置６を介して、ボタンを押し続けている期間中、前記ボックス移動装置３のモーター３０４が逆転するよう駆動せしめられ、ペダルユニットボックス２がゆっくりと奥側へ移動していくようになっている。プレイヤーが希望する位置になったところで奥方向移動ボタン４１ａから手を離すと、そこで停止する。
手前方向移動ボタン４１ｂについても同様であり、そのボタンを押している間、モーター３０４が正転するよう駆動せしめられ、ペダルユニットボックス２がゆっくりと手前側へ移動して来るようになっており、プレイヤーが希望する位置になったところで手前方向移動ボタン４１ｂから手を離すと、そこで停止する。
これらの操作及び作動の流れが、図７のフローチャートに記載されている。
【００１８】
一方、身長値入力装置４２は、その数値調節ボタン４２０ａ〜４２０ｃを押してプレイヤーが自分の身長値を入力することにより、それ以降は自動的にペダルユニットボックス２が最適位置にもたらされるようになっている。
即ち、プレイヤーが数値調節ボタン４２０ａ〜４２０ｃを押し、それぞれのボタンの上に設けた数値表示器４２ａ〜４２ｃの表示値を見ながら自分の身長値を入力し、確定ボタン４２ｄを押すと、その身長値に基づき、演算装置５が予めインストールされたプログラムを実行して、当該身長値に適合するペダルユニットボックス２の最適位置を求める演算を行い、求められた最適位置データをモーター駆動制御装置６へ送出する。モーター駆動制御装置６は、その最適位置データに基づきモーター３０４を必要量駆動して、前記ペダルユニットボックス２を当該最適位置に移動させ、停止させるものである。
数値表示器４２ａ〜４２ｃに表示される数値は、全体として身長（ｃｍ単位）を３桁の数字で示すようになっており、数値調節ボタン４２０ａ〜４２０ｃと数値表示器４２ａ〜４２ｃの表示値の関係は、プレイヤーが数値調節ボタン４２０ａを押している間は、数値表示器の百の桁４２ａが０，１，２の順に順番に変化し、自分の身長の百の位の数値になったところでボタンから手を離すと、その数値で停止する。
次に、数値調節ボタン４２０ｂを押している間は、数値表示器の十の桁４２ｂが０，１，２，・・・，９の順に順番に変化し、自分の身長の十の位の数値になったところでボタンから手を離すと、その数値で停止する。数値調節ボタン４２０ｃについても同様であり、一の位の数値を選択することができる。
自分の身長を示す３桁の数値をすべて選択した後、確定ボタン４２ｄを押すことにより、入力操作が完了する。
なお、図６中のリミットセンサー３０７は、図４及び図５に示したリミットセンサー３０７であり、これらのセンサーからモーター駆動制御装置６に信号がもたらされたときは、前記の如く、雌ネジユニット３０３が許容終端位置に達したことを示しており、モーター３０７は速やかに停止せしめられる。
【００１９】
なお、本発明は上記の実施例に限定されるものではなく、本発明はその目的の範囲内において、上記の説明から当業者が容易に想到し得るすべての変更実施例を包摂するものである。
【産業上の利用可能性】
【００２０】
本発明によるときは、足踏みペダルの位置を、ペダルユニットボックスごとペダル面と略直交する方向に移動させることができ、且つ、所望位置で停止させることができるので、大人や子供その他プレイヤーの体型に合わせてペダル位置を調整でき、これによって、ペダルが踏みにくい等の理由によりゲーム成績が悪くなるような不公平性が解消され、納得のゆくゲームプレイが可能なゲーム機用ペダル装置を提供し得るものであり、産業上多大の利用価値を有するものである。
【符号の説明】
【００２１】
１        ゲーム機用ペダル装置
２        ペダルユニットボックス
２０１    アクセル
２０２    アクセル動作検知ユニット
２０３    ブレーキ
２０４    ブレーキ動作検知ユニット
２０５ａ〜２０５ｅ  ボックスの壁面部材
３        ボックス移動装置
３０１    基板
３０２    送りネジ
３０２０ａ，３０２０ｂ  軸受
３０３    雌ネジユニット
３０３ａ  ブロック部材
３０３ｂ  雌ネジ部
３０４    モーター
３０５    ガイドレール
３０６    スライドシュー
３０７    リミットセンサー
４        操作パネル
４１      直接入力装置
４１ａ    奥方向移動ボタン
４１ｂ    手前方向移動ボタン
４２      身長値入力装置
４２ａ〜４２ｃ  数値表示器
４２０ａ〜４２０ｃ  数値調節ボタン
４２ｄ    確定ボタン
５        演算装置
６        モーター駆動制御装置
Ａ        ドライブゲーム機
Ｂ        ペダル装置の設置箇所
Ｃ        キャビネット（機台）
Ｄ        運転座席
【図１】
2011177358.tif 000003
【図２】
2011177358.tif 000004
【図３】
2011177358.tif 000005
【図４】
2011177358.tif 000006
【図５】
2011177358.tif 000007
【図６】
2011177358.tif 000008
【図７】
2011177358.tif 000009
【図８】
2011177358.tif 000010